(57)【要約】【課題】乳頭に対する密着性に優れており、使用中は剥がれ難く、乳頭口への細菌の侵入を正確に防止でき、乳頭から剥がすときには破れ難く剥がし易い、家畜の乳頭口用当て物（patch、pad、sheet）を提供する。【解決手段】家畜の乳頭口を含む部分に貼り付けられる乳頭口用当て物であって、弾性シート３と粘着剤層４との積層体２を有しており、この積層体２の引張弾性率が０．０５ＭＰａ以上１ＭＰａ未満であり、さらに積層体２の２５ｍｍ幅の粘着力が５Ｎ／２５ｍｍ以上である。粘着剤層４は弾性シート３の一方の面に積層されている。本発明の乳頭口用当て物は、適度の柔軟性を有し、しかも破れ難い。【選択図】図２
2019024446.tif 000002
【特許請求の範囲】
【請求項１】
家畜の乳頭口を含む部分に貼り付けられる乳頭口用当て物であって、
弾性シートと該弾性シートの一方の面に積層された粘着剤層との積層体を有しており、
該積層体の引張弾性率が０．０５ＭＰａ以上１ＭＰａ未満であり、さらに
該積層体の２５ｍｍ幅の粘着力が５Ｎ／２５ｍｍ以上であることを特徴とする家畜の乳頭口用当て物。
【請求項２】
前記粘着剤層のボールタックナンバーが３以上であることを特徴とする請求項１記載の家畜の乳頭口用当て物。
【請求項３】
前記粘着剤層の４０℃における保持力が０ｍｍ以上１０ｍｍ以下であることを特徴とする請求項１記載の家畜の乳頭口用当て物。
【請求項４】
前記積層体において、前記粘着剤層が積層された面と反対側の表面同士を、２３℃、２ｋｇのローラーを使用して重ね合わせた後、重ね合わせた積層体を剥離する際の強度が５Ｎ／２５ｍｍ以上３０Ｎ／２５ｍｍ以下であることを特徴とする請求項１記載の家畜の乳頭口用当て物。
【請求項５】
請求項１記載の家畜の乳頭口当て物と、
前記積層体における前記粘着剤層と反対側の表面に積層された剥離性の保護フィルムと、
前記粘着剤層の表面に貼り付けられた離型シートと、
を有することを特徴とする家畜の乳頭口用当て物組品。
【請求項６】
前記積層体から前記保護フィルムを剥離する際の剥離強度に対して、前記積層体から前記離型シートを剥離する際の剥離強度が０．１倍以上０．９倍以下であることを特徴とする請求項５記載の家畜の乳頭口用当て物組品。
【請求項７】
前記積層体から前記保護フィルムを剥離する際の剥離強度が２５ｍＮ／２５ｍｍ以上２５０ｍＮ／２５ｍｍ以下であることを特徴とする請求項５記載の家畜の乳頭口用当て物組品。
【請求項８】
前記積層体から前記保護フィルムを剥離する際の剥離強度をＰ１とし、
前記積層体から前記離型シートを剥離する際の剥離強度をＰ２とし、
前記家畜の乳頭口を含む部分に前記積層体の粘着剤層を貼付し、該粘着剤層を該部分から剥離する際の剥離強度をＰ３としたとき、
Ｐ２＜Ｐ１＜Ｐ３
となる請求項５に記載の家畜の乳頭口用当て物組品。
【発明の詳細な説明】
【技術分野】
【０００１】
本発明は、乳牛等といった家畜の乳頭口を保護するための乳頭口用当て物に関する。より詳しくは、本発明は、乳頭口を覆うように家畜の乳頭に貼り付けられて該乳頭口を保護する家畜の乳頭口用当て物に関する。また、本発明は家畜の乳頭口用当て物を含んで成る家畜の乳頭口用当て物組品に関する。なお、当て物は、パッチ（patch）、パッド（pad）、シート（Sheet）、シール（Seal）等と呼ばれることがある。
【背景技術】
【０００２】
家畜である乳牛が患う重大な疾病の１つに乳房炎がある。この乳房炎は、細菌その他の微生物が、乳頭口から乳房の内部へ侵入し、乳房の内壁に定着し、さらに乳房の内部で増殖することによって起こる感染病である。この乳房炎は、発生要因が複雑であることから未だに根絶できていない。
【０００３】
家畜が乳房炎に罹る（かかる）と、家畜から得られる乳の量が少なくなったり、家畜から得られる乳の品質が低下したりするおそれがある。また、乳房炎を治すために抗生物質等といった薬剤による治療を行った場合には、乳房の内部に薬剤が残留することが考えられるので、治療期間中は乳を出荷できないという問題がある。さらに、乳房炎の症状が重篤であって治療が困難な場合は、病気に罹った家畜を淘汰せざるを得ない。以上から、家畜が乳房炎に罹ることは、酪農家に甚大な経済的損失を与えることとなっている。
【０００４】
現在、乳房炎の予防を目的として、乳を搾乳する期間である搾乳期（lactation period）において、搾乳の前後で乳頭をディッピング剤（すなわち、殺菌消毒剤水溶液）に浸漬する方法が一般的に用いられている。この方法は、乳頭部分の皮膚の表面に付着している乳房炎起因菌（すなわち、乳房炎を起こす菌）を殺菌して乳頭部分を消毒することが目的である。また、皮膚の状態を改善する成分、例えば保湿剤成分、をディッピング剤に添加することにより、乳房炎起因菌の付着面積を低減する方法も用いられている。
【０００５】
このように、現在、殺菌等を主目的とした様々なディッピング剤が提案されている（例えば、特許文献１、特許文献２）。また、市場では多数のディッピング剤が製品として市販されている。
【０００６】
次に、搾乳を行わない期間である乾乳期（dry period）においては、その乾乳期が始まる時点で乳頭口から乳房内に抗生物質を注入することにより、乳房炎起因菌を乳房内で死滅させるという方法が一般的に用いられている。乾乳期の初期において抗生物質は一定の殺菌効果を有するので、抗生物質は乳房炎の予防に関して有効であると考えられる。
【０００７】
しかしながら、抗生物質を用いる場合には、抗生物質が乳頭口から漏れ出るという問題や、乾乳期が終わった後で搾乳期が始まったときに抗生物質が生乳へ混入するという問題や、抗生物質を長期間使用するとその抗生物質に対する耐性菌が乳房内に出現するという問題がある。また、乾乳期の初期及び分娩前の乾乳期の後期において、家畜が新たに乳房炎に罹る割合が高くなることが報告されている。以上のことから、抗生物質を用いた乳房炎対策は十分な対策であるとは言い難い。
【０００８】
そこで、乳房炎起因菌から家畜の乳頭を守る手段として、家畜の乳頭全体を保護することにより、細菌その他の微生物が乳頭口から乳房内へ侵入することを防止する技術が提案されている。
【０００９】
例えば、特許文献３には、「家畜である乳牛の乾乳期において、乳房炎に感染し易い乾乳期の初めの約２日〜９日程度の間、及び分娩前約２日〜９日程度の間、乳頭を乳頭シール剤に浸漬することにより、乳頭口を閉塞する薄膜を乳頭に形成した状態に保持しておく」という手段が提案されている。この手段により、乳房炎起因菌の感染を物理的に阻止することにより、乳牛が乳房炎に罹ることを予防することができる、と述べられている。
【００１０】
特許文献３には、乳頭シール剤中の膜形成成分として、ウレタンゴム、ラテックスゴム、ブタジエン樹脂、ポリビニルアルコール、液状ゴム、天然ゴム、ブチルゴム、ニトリルゴム、クロロプレンゴム、酢酸ビニルゴム等といったゴム材料が例示されている。すなわち、これらのゴム材料をトルエン、キシレン等の溶媒に溶解させて溶液を形成し、この溶液（すなわち、乳頭シール剤）に乳頭を浸漬することにより、ゴム材料の膜を乳頭に形成するものである。
【００１１】
しかしながら、上記のような方法で形成されるゴム材料の膜は、乳頭との密着性が不十分であり、そのために乳頭から剥がれ易いという問題がある。すなわち、特許文献３で提案されたゴム材料の膜は、乳房炎起因菌の感染を阻止する必要がある期間である上記約２日〜約９日の期間において、乳頭口の閉塞を維持することができない場合が多く、その改善が求められている。
【００１２】
次に、特許文献４には、防水性を示し且つ切断時の伸び率が大きな可撓性フィルムから成る家畜用乳頭保護材料が提案されている。この乳頭保護材料は乳頭に巻き付けて固定される。
【００１３】
しかしながら、乳頭は、通常、その先端の乳頭口に近付くほど細くなるという形状を有している。そのため、上記のような可撓性フィルムを乳頭に巻き付けた場合には、注目部分である乳頭口部分での密着性を十分に確保できない場合が多い。そのため、乳頭口とフィルムとの間に空隙が生じ易いという問題がある。このような空隙が形成されると、乳頭口をフィルムによって保護するという機能が低下する。また、この空隙部分から細菌等といった原因菌が侵入するおそれがある。さらに、この空隙部分の存在のためにフィルムが乳頭から剥がれ易くなるおそれがある。
【００１４】
また、本発明者等の検討によれば、以上の問題の他、単なる可撓性フィルムを乳頭に貼付した場合には、以下の問題があることが分かった。すなわち、前記空隙部分の存在により可撓性フィルムが乳頭から剥がれ易い。しかも、乳頭に対する可撓性フィルムの密着が十分でない場合には、貼付直後は十分に貼り付いていたとしても、乳頭に生じる角質により、長期にわたる信頼性の高い貼付が困難であることが分かった。
【先行技術文献】
【特許文献】
【００１５】
【特許文献１】特許第３４０４７０４号
【特許文献２】特開平１１−１５５４０４号公報
【特許文献３】特開２０００−０４１５２９号公報
【特許文献４】特開２００６−１２９７９５号公報
【発明の概要】
【発明が解決しようとする課題】
【００１６】
本発明は、上記の従来技術に鑑みて成されたものであって、搾乳期においては半日程度の間、細菌等により感染し易い乾乳期（例えば、乾乳初期、及び分娩前の乾乳後期）においては１週間程度の間、乳頭口を覆うように乳頭に密着して剥離せずに乳頭口を保護する乳頭口用当て物を提供することを目的とする。
【００１７】
また、本発明は、家畜の個体差によらず、乾乳期の感染を確実に防ぐために、１０日以上、好ましくは２週間程度、乳頭に密着して剥離せずに乳頭口を保護する乳頭口用当て物を提供することを他の目的とする。
【００１８】
加えて、本発明は、操作性よく、乳頭に貼付することができる、乳頭口用当て物を提供することを目的とする。
【課題を解決するための手段】
【００１９】
本発明に係る家畜の乳頭口用当て物は、家畜の乳頭口を含む部分に貼り付けられる家畜の乳頭口用当て物であって、弾性シートと該弾性シートの一方の面に積層された粘着剤層との積層体を有しており、該積層体の引張弾性率が０．０５ＭＰａ以上１ＭＰａ未満であり、さらに該積層体の２５ｍｍ幅の粘着力が５Ｎ／２５ｍｍ以上であることを特徴とする。
【００２０】
一般に、物質の特性を表す指標として引張弾性率がある。引張弾性率は、弾性係数とかヤング率とか呼ばれることがある。引張弾性率は物質の変形のし易さ又は変形のし難さを示す物性値である。本発明において、引張弾性率は、例えば、ＪＩＳ  Ｋ７１２７；１９９９に準じ、チャック間距離２０ｍｍ、引張速度５０ｍｍ／ｍｉｎ、サンプル幅（積層体の幅）２０ｍｍの条件で引張弾性率を測定した。なお、下記の実施例・比較例においては、島津製作所製  引張試験機（型番；ＥＺ  Ｔｅｓｔ／ＥＺ−ＳＸ）を用いて測定した。
【００２１】
また、粘着テープのような粘着材料は、一般に、粘着力（すなわち剥離力）、タック性（すなわち粘着性）、保持力によってその特性を表すことができる。粘着力は恒久的な接着性の指針と考えられている。タック性は瞬間的な接着性の指針と考えられている。保持力は粘着材料が一定の場所に留まろうとする力であると考えられている。粘着力、タック性、保持力の測定方法は、例えばＪＩＳ  Ｚ  ０２３７の規格によって規定される。なお、試験に用いたローラーは２ｋｇの手動式圧着措置であり、圧着は該ローラーを２往復させ、各種測定は圧着後、２０分後のものを測定した。
【００２２】
粘着力は、例えば、ピール粘着力試験法によって測定できる。ピール粘着力試験法は、試験板に試料を貼付けた後、試料を角度１８０°方向に引き剥がすのに要する力を測定する方法である。本発明では、幅２５ｍｍの試料を引き剥がすときの力として規定している。
【００２３】
本発明に係る家畜の乳頭口用当て物によれば、積層体が家畜の乳頭口を覆うように乳頭に貼り付けられる。このため、家畜の乳頭を膜形成用溶液に浸漬し、乾燥させる等の面倒な処理を行う必要が無く、家畜に関して乳房炎のような疾病を予防するための作業が非常に簡単である。
【００２４】
また、本発明の積層体は、乳頭口を覆うように乳頭に貼り付けられるものであり、乳頭に巻きつけて固定されるものではない。このため、乳頭の先端部分である乳頭口と積層体との間に十分な密着性が確保される。その結果、乳頭口と積層体との間に空隙を生じ難く、細菌等の感染から乳頭口を確実に保護できる。
【００２５】
また、本発明においては、積層体の引張弾性率が０．０５ＭＰａ以上１ＭＰａ未満であり、積層体の粘着力が５Ｎ／２５ｍｍ以上であるので、乳頭に貼り付けられた積層体の乳頭に対する密着性が優れている。また、本発明の積層体は、適度な弾性を呈することにより、家畜の動作に伴う乳頭の変形に追随するように伸縮できる。さらには、乾乳期中の乳頭サイズの変化、および乳頭の凹凸形状に追随することができる。このため、乳頭に貼り付けられた積層体は乳頭に密着することから、非常に剥がれ難い。このため、細菌等による感染をし易いといわれている一定の期間、乳頭口を確実に保護できる。
【００２６】
本発明に係る家畜の乳頭口用当て物の第２の発明態様においては、前記粘着剤層のボールタックナンバーが３以上である。本発明においては、ＪＩＳ  Ｚ  ０２３７で採用されるタックの測定法に準ずる。ＪＳＩ  Ｚ  ０２３７に規定されている傾斜角度は２０°、３０°、又は、４０°であるが、本発明においては、タック性をより高精度に評価することを目的として、傾斜角は１５°とした。すなわち、傾斜角１５°の傾斜板に直径１／３２インチから１インチまでの３２種の鋼球を少なくとも１つ転がし、粘着面で停止した最大径のボールナンバーを、タック性を示す値として特定する。この値が本発明態様におけるボールタックナンバーである。
【００２７】
本発明に係る家畜の乳頭口用当て物の第３の発明態様においては、前記粘着剤層の４０℃における保持力が０ｍｍ以上１０ｍｍ以下である。
粘着材料についての保持力とは、粘着材料が一定の場所に留まろうとする力を示すものである。換言すれば、保持力とは荷重に対する抵抗力とも表現できる。保持力の測定は例えば次のようにして行う。すなわち、ＪＩＳ  Ｚ０２３７に規定の形状の試験板を用意する。試験板の一端に試験片の一端を圧着（２ｋｇのローラーを２往復して圧着）によって貼付ける。この圧着後、２３℃で２０分間、それらを放置する。その後、所定温度下（本発明態様では４０℃）で試験片の下端に所定重量の重りを吊下げる。そして、重りが落下した時間、又は試験片にズレが生じた場合のそのズレの距離を計測する。
【００２８】
本発明態様によれば、粘着剤層の保持力を０ｍｍ以上１０ｍｍ以下に設定したので、乳頭に対する積層体のズレを長期にわたって防止できる。具体的には、保持力が１０ｍｍよりも大きくなると、積層体を乳頭に対して長期にわたって貼付する際に、ズレが生じ易くなる傾向にある。
【００２９】
本発明に係る家畜の乳頭口用当て物の第４の発明態様においては、前記積層体において、前記粘着剤層が積層された面と反対側の表面同士を、２３℃、２ｋｇのローラーを使用して重ね合わせた後、重ね合わせた積層体を剥離する際の強度（以下、単に「裏面剥離強度」とする場合もある）が５Ｎ／２５ｍｍ以上３０Ｎ／２５ｍｍ以下である。なお、この試験においても圧着は、２ｋｇのローラーを２往復させた。また、圧着後、２３℃、２０分間、放置したものを測定した。
【００３０】
この発明態様によれば、積層体における粘着剤層と反対側の表面同士が適正な接着強度の下に互いに接着する。これにより、乳頭に貼り付けられた積層体の乳頭に対する浮きが少なくなり、積層体が乳頭に対して剥がれ難くなり、乳頭と積層体との間から細菌が侵入し難くなる。
積層体における粘着剤が積層された面と反対側の表面同士の剥離強度が５Ｎ／２５ｍｍよりも小さいと、乳頭に貼付した積層体の浮きが多く生じる傾向にある。また、その裏面剥離強度が３０Ｎ／２５ｍｍよりも大きいと、裏面自体が他のものと接着し易くなるため、該積層体の操作性が低下する傾向にある。
【００３１】
次に、本発明に係る家畜の乳頭口用当て物組品は、以上に記載した各発明態様の乳頭口用当て物と、前記積層体における前記粘着剤層と反対側の表面に積層された剥離性の保護フィルムと、前記粘着剤層の表面に貼り付けられた離型シートと、を有する。
【００３２】
この乳頭口用当て物組品は、家畜の乳頭に積層体として貼付けられる前の状態の乳頭口用当て物の構成を規定している。この乳頭口用当て物組品は市場で流通する状態の乳頭口用当て物の構成である。実際の使用時には、この乳頭口用当て物組品を適用対象である家畜のところに持ち運び、まず、離型シートを粘着剤層から剥がし、外部へ露出したその粘着剤層を家畜の乳頭へ貼り付け、その後、保護フィルムを積層体から剥がす。これにより、乳頭口用当て物としての積層体を乳頭へ貼付けることができる。
【００３３】
本発明に係る家畜の乳頭口用当て物組品の第２の発明態様においては、前記積層体から前記保護フィルムを剥離する際の剥離強度に対して、前記積層体から前記離型シートを剥離する際の剥離強度が０．１倍以上０．９倍以下である。
この乳頭口用当て物組品においては、保護フィルムの方が離型シートよりも強く積層体に貼り付いている。従って、まず初めに離型シートを積層体から剥がし、これにより外部に露出した粘着剤層を家畜の乳頭に貼付けた後、家畜に貼付けられたその積層体から保護フィルムを無理なく剥がすことができる。
【００３４】
本発明に係る家畜の乳頭口用当て物組品の第３の発明態様においては、前記積層体から前記保護フィルムを剥離する際の剥離強度が２５ｍＮ／２５ｍｍ以上２５０ｍＮ／２５ｍｍ以下である。この構成によれば、本発明の乳頭口用当て物組品を市場で取り扱う際には保護フィルムを積層体に強固に貼付けておくことができ、さらに、乳頭に貼付けられた積層体から保護フィルムを剥がす際には、保護フィルムを適度の力で容易に剥がすことができる。
【００３５】
前記積層体から前記保護フィルムを剥離する際の剥離強度をＰ１とし、前記積層体から前記離型シートを剥離する際の剥離強度をＰ２とし、前記家畜の乳頭口を含む部分に前記積層体の粘着剤層を貼付し、該粘着剤層を該部分から剥離する際の剥離強度をＰ３としたとき、
Ｐ２＜Ｐ１＜Ｐ３
となる前記乳頭口用当て物組品である。各強度がこの範囲を満足することにより、乳頭口を含む乳頭に、操作性が良い状態で前記積層体を貼付できる。
【発明の効果】
【００３６】
本発明に係る家畜の乳頭口用当て物によれば、積層体が家畜の乳頭口を覆うように乳頭に貼り付けられる。このため、家畜の乳頭を膜形成用溶液に浸漬したり、乾燥する等の面倒な処理を行う必要が無く、家畜に関して乳房炎のような疾病を予防するための作業が非常に簡単である。
【００３７】
また、本発明の積層体は、乳頭口を覆うように乳頭に貼り付けられるものであり、乳頭に巻きつけて固定されるものではない。このため、乳頭の先端部分である乳頭口と積層体との間に十分な密着性が確保される。その結果、乳頭口と積層体との間に空隙を生じ難く、細菌等の感染から乳頭口を確実に保護できる。
【００３８】
また、本発明においては、積層体の引張弾性率が０．０５ＭＰａ以上１ＭＰａ未満であり、積層体の粘着力が５Ｎ／２５ｍｍ以上であるので、乳頭に貼り付けられた積層体の乳頭に対する密着性が優れている。また、本発明の積層体は、適度な弾性を呈することにより、家畜の動作に伴う乳頭の変形に追随するように伸縮できる。さらには、乾乳期中の乳頭サイズの変化、および乳頭の凹凸形状に追随することができる。このため、乳頭に貼り付けられた積層体は乳頭に密着することから、非常に剥がれ難い。このため、細菌等による感染をし易いといわれている一定の期間、乳頭口を確実に保護できる。
【図面の簡単な説明】
【００３９】
【図１】本発明に係る家畜の乳頭口用当て物、及び家畜の乳頭口用当て物組品のそれぞれの一実施形態を示す断面図である。
【図２】図１の当て物及び当て物組品の平面図である。
【図３】積層体の変形例を示す図である。
【図４】家畜の一例である乳牛を示す図である。
【図５】家畜の乳頭の一部の断面を拡大して示す断面図である。
【図６】積層体の他の変形例を示す図である。
【図７】本発明に係る家畜の乳頭口用当て物、及び家畜の乳頭口用当て物組品の第２の実施形態を示す平面図である。
【図８】図７のＣ−Ｃ線に従った断面図である。
【図９】積層体のさらに他の変形例を示す平面図である。
【図１０】乳頭口用当て物の第３の実施形態を示す平面図である。
【図１１】乳頭口用当て物の第４の実施形態を示す平面図である。
【図１２】乳頭口用当て物の第５の実施形態を示す平面図である。
【図１３】乳頭口用当て物の第６の実施形態を示す平面図である。
【図１４】乳頭口用当て物の第７の実施形態を示す平面図である。
【図１５】乳頭口用当て物の乳頭への貼付け例を示す側面図である。
【図１６】本発明の実施例、比較例で疑似試験を行う際に使用した疑似乳頭の側面図である。
【発明を実施するための形態】
【００４０】
以下、本発明に係る家畜の乳頭口用当て物及び家畜の乳頭口用当て物組品を、実施形態に基づいて説明する。なお、本発明がこの実施形態に限定されないことはもちろんである。また、本明細書に添付した図面では特徴的な部分を分かり易く示すために実際のものとは異なった比率で構成要素を示す場合がある。
【００４１】
（家畜の乳頭口用当て物組品、及び家畜の乳頭口用当て物の第１の実施形態）
（全体的な構成及び作用）
図１は本発明に係る家畜の乳頭口用当て物組品、及び家畜の乳頭口用当て物のそれぞれの一実施形態を示している。図２は図１の矢印Ａに従ってその当て物組品の平面構造を示している。図１は図２のＧ−Ｇ線に従った断面図である。これらの図において、当て物組品１Ａは当て物としての積層体２を有している。積層体２は、弾性シート３と、粘着剤層４との２層構造を有している。粘着剤層４は弾性シート３の一方の面（図１の下側の面）の全体にわたって積層されている。
【００４２】
積層体２における粘着剤層４と反対側の表面に保護フィルム５が貼付けられている。一方、粘着剤層４の表面に離型シート６が貼付けられている。図２は保護フィルム５を取り外した状態の構成を示しており、保護フィルム５を鎖線で示している。積層体２の平面形状は円形状である。保護フィルム５及び離型シート６の平面形状は矩形状である。矩形状は長方形状又は正方形状である。図３は家畜の乳頭口用当て物の変形例を示している。図３に示す当て物組品１Ｂのように、積層体２の平面形状を楕円形状とすることもできる。なお、以降の説明で当て物組品１Ａと言った場合には、当て物組品１Ｂも含むものとする。図１において、保護フィルム５は弾性シート３の外側へ張り出している張出し部５ａを有している。離型シート６の中央部分には切込み線６ａが設けられている。
【００４３】
図４は家畜の一例である乳牛１０を示している。乳牛１０は乳房１１を有しており、乳房１１から乳頭１２が垂下している。図５に示すように、乳頭１２の内部に乳管１３が存在する。符号Ｕは乳頭１２の上部を示している。符号Ｌは乳頭１２の下部を示している。乳管１３は乳頭１２の上下方向へ延びている。乳管１３の下端は乳頭１２の下端の外部へ開口している。この開口が乳頭口１４である。作業者が搾乳を行うと、すなわち乳頭１２を絞ると、乳牛の乳が乳管１３を流下して乳頭口１４から外部へ取り出される。
【００４４】
乳牛１０に対して搾乳を行う期間である搾乳期においては半日程度の間、また、細菌等により感染し易い乾乳期（例えば、乾乳初期、及び分娩前の乾乳後期）においては１週間程度の間、乳牛１０の乳頭口１４を覆うように、当て物としての積層体２が乳頭１２の先端に貼付けられる。また、家畜の個体差によらず、乾乳期の感染を確実に防ぐために、１０日以上、好ましくは２週間程度の間、当て物としての積層体２が乳頭１２の先端に貼付けられる。
【００４５】
より具体的には、図５に示すように、積層体２が乳頭口１４を覆うように、粘着剤層４によって乳頭１２の先端に積層体２が貼付けられる。こうして積層体２によって乳頭口１４を塞ぐことにより、乳頭口１４からの細菌等による感染を防止する。
【００４６】
乳頭１２の先端に積層体２を貼付ける際には、作業者は、まず、図１の当て物組品１Ａを図４の乳牛１０の所まで持ち運ぶ。そして、図１の切込み線６ａの所で離型シート６を粘着剤層４から剥がして、粘着剤層４を外部に露出させる。作業者は次に、露出した粘着剤層４を図４の乳牛１０の乳頭１２の先端に貼付けて、積層体２を乳頭１２の先端に貼付ける。その後、図１の保護フィルム５を積層体２の弾性シート３から剥がす。こうして、図５に示すように、当て物としての積層体２だけが乳頭１２の先端に貼付けられて乳頭口１４を塞ぐ状態となる。
【００４７】
本実施形態において積層体２、すなわち当て物、をそれ自身の単体で存在させるのではなく、保護フィルム５と離型シート６とによって挟持するのは、積層体２のそれ自身は非常に柔らかくてそれ自身で平板シートとしての形状を維持することが難しくて、作業者にとって取り扱いが難しいからである。つまり、積層体２を製造する間及び積層体２が市場で流通する間、保護フィルム５と離型シート６とによって積層体２の平板シート形状が維持される。
以下、各要素について説明する。
【００４８】
（積層体２）
［引張弾性率］
本実施形態において、当て物としての積層体２の引張弾性率は０．０５ＭＰａ以上１ＭＰａ未満、好ましくは０．０７〜０．５０ＭＰａ、より好ましくは０．０７〜０．２５ＭＰａに設定される。引張弾性率は、弾性係数とかヤング率とか呼ばれることがある。引張弾性率は物質の変形のし易さ又は変形のし難さを示す物性値である。
【００４９】
引張弾性率が０．０５ＭＰａより小さいと、積層体２が柔らかくなり過ぎるので、積層体２を乳頭１２へ貼付ける際の作業者にとっての積層体２の操作性が低下する。一方、引張弾性率が１ＭＰａ以上になると、積層体２が硬くなり過ぎるので、乳頭形状にフィットできず、積層体２の密着性が損なわれる。さらには、乾乳期の乳頭サイズの変化、乳頭表面の凹凸等に追随することができない。乳牛１０の乳頭１２は柔らかくて変形し易いので、積層体２が適切な柔らかさを持っていないと乳頭１２の変形に追従させることができない。このことに関し、本実施形態のように積層体２の引張弾性率を０．０５ＭＰａ以上１ＭＰａ未満に設定すれば、積層体２を乳頭１２に常時、密着状態で追従させることができる。
【００５０】
なお、この引張弾性率は、積層体２自身で測定するのが最も良いが、該積層体２は薄くて柔らかく、かつ粘着剤層４を有するため、測定が難しい場合がある。この場合には、２枚の同じ組成、層構成、および厚みの積層体２を準備し、粘着剤層４同士を接合させ、２枚の積層体２の引張弾性率を求め、１枚分の積層体２の引張弾性率に換算することもできる。
【００５１】
［粘着力］
本実施形態において、当て物としての積層体２の２５ｍｍ幅の粘着力は５Ｎ／２５ｍｍ以上である。該粘着力が５Ｎ／２５ｍｍ以上であることにより、乳頭において、経時で角質が古くなっても、安定して、長期間、積層体２を乳頭に貼付できる。
【００５２】
乳頭１２は皮膚であるので、一般的に、物が貼付き難い。積層体２の粘着力が５Ｎ／２５ｍｍより小さいと、積層体２が乳頭１２に適正に貼付かず、剥がれてしまう。さらには、貼付できたとしても（例えば、下記に詳述する重なり部Ｈ（図１５参照）を有する積層体２を使用して貼付したとしても）、乳頭の角質が古くなることにより、長期間の貼り付けることが困難となる。また、保護フィルム５の分離時に積層体２が保護フィルム５に付着して、乳頭から一部剥がれる場合があり、好ましくない。
【００５３】
一方、積層体２の粘着力の上限は、特に制限される訳ではないが、５０Ｎ／２５ｍｍ以下とすることが好ましい。家畜は生き物であるため、不測の事態が生じる場合があり、このような場合には、乳頭に貼付した積層体２を取り除く必要がある。粘着力を５０Ｎ／２５ｍｍ以下とすることにより、予定よりも短い期間で該積層体２を取り除いたとしても、該積層体２を乳頭から容易に取り除くことができる。つまり、粘着力を５０Ｎ／２５ｍｍ以下とすることにより、柔らかい積層体２を使用しているにも拘らず、比較的短期間で乳頭から積層体２を除去する場合があっても、該積層体２が破れにくく、容易に除去することが可能となる。
【００５４】
例えば、乳牛の場合、乾乳期と考えていた時期に急に出産に至る場合がある。この場合、生まれた子牛に与える乳汁を採取するために、乳頭に貼付した積層体２を、例えば、３日以内に取り除く必要が生じることがある。この場合、本発明の積層体２は、柔らかいため、乳頭に古い角質が多く生成されない場合には、乳頭から取り除く際に積層体２が破れ、除去に手間がかかってしまう。このような場合に対応するため、積層体２の粘着力を５０Ｎ／２５ｍｍ以下とすることにより、比較的短期間で乳頭から除去する場合でもあっても、積層体２が破れない状態で乳頭から除去できるようになる。
【００５５】
そのため、長期間の安定した乳頭への貼付と、それとは相対する比較的短期間での乳頭からの除去の両方の性能を高度に達成するためには、積層体２の粘着力は、以下の範囲であることが好ましい。具体的には、５Ｎ／２５ｍｍ以上５０Ｎ／２５ｍｍ以下であることが好ましく、１０Ｎ／２５ｍｍ以上４５Ｎ／２５ｍｍ以下とすることがより好ましく、１５Ｎ／２５ｍｍ以上４５Ｎ／２５ｍｍ以下とすることがさらに好ましく、１５Ｎ／２５ｍｍ以上４０Ｎ／２５ｍｍ以下とすることが特に好ましい。
【００５６】
［タック性］
本実施形態において、図１の積層体２の粘着剤層４のボールタックナンバーは３以上であることが好ましく、５以上３０以下であることがより好ましく、１０以上２０以下であることがさらに好ましい。
【００５７】
タック性は瞬間的な接着性の指針と考えられている。タック性はいわゆるベタツキの程度である。タック性すなわちベタツキと粘着力とは全く別の要素である。例えば付箋紙は、ベタツキが大きくても粘着力が低い品物である。
【００５８】
ボールタックナンバーが３より小さいと、積層体２の瞬間的な接着力が小さくなるので、積層体２が乳頭１２への貼付け直後に剥がれてしまうおそれがある。ボールタックナンバーを３以上に設定すれば、積層体２を乳頭１２に貼付けた直後、又は貼付けてから短時間の間において、積層体２の接着状態を安定に保持できる。乳牛１０のような家畜は動き回ることが多いので、瞬間的に安定した接着状態を確立できるということは、家畜を対象とする当て物にとっては大きな利点である。
一方、ボールタックナンバーの上限は、特に制限されるものではない。ただし、ボールタックナンバーが３０よりも大きいと、粘着剤層の厚みを厚くしなければならず、工業的な生産が難しくなったり、乳頭へ貼付する際の操作性が低下する傾向にある。そのため、ボールタックナンバーは３０以下とすることがより好ましい。
【００５９】
［保持力］
本実施形態において、図１の積層体２の粘着剤層４の４０℃における保持力は０ｍｍ以上１０ｍｍ以下とすることが好ましく、０ｍｍ以上５ｍｍ以下とすることがより好ましく、０ｍｍ以上３ｍｍ以下とすることがさらに好ましい。粘着材料についての保持力とは、粘着材料が一定の場所に留まろうとする力を示すものである。換言すれば、保持力とは荷重に対する抵抗力である。さらに換言すれば、保持力は粘着剤のズレに耐え得る力である。
【００６０】
積層体２の保持力が１０ｍｍよりも大きいと、積層体２のズレ量が大きくなり、積層体２が剥がれ易くなる傾向にある。本実施形態によれば、粘着剤層の保持力を０ｍｍ以上１０ｍｍ以下に設定したので、乳頭に対する積層体のズレを長期にわたって防止できる。
【００６１】
［裏面剥離強度］
本発明においては、前記積層体２において、前記粘着剤層４が積層された面と反対側の表面同士を、２３℃、２ｋｇのローラーを使用して重ね合わせた後、重ね合わせた積層体２を剥離する際の強度（以下、単に「裏面剥離強度」とする場合もある。）が５Ｎ／２５ｍｍ以上３０Ｎ／２５ｍｍ以下となることが好ましい。この測定条件も、前記の通り、ＪＩＳ  Ｚ０２３７に従う。
【００６２】
該裏面剥離強度が前記範囲を満足することにより、積層体２が下記に詳述する重なり部Ｈを有する形状である場合に、優れた効果を発揮する。すなわち、積層体２における粘着剤層４と反対側の表面同士が適正な接着強度の下に互いに接着する。これにより、乳頭に貼り付けられた積層体２において、仮に浮きが生じたとしても、該表面同士が密着するため、浮きをなくすことができる。その結果、積層体２が乳頭に対して剥がれ難くなり、乳頭と積層体２との間から細菌等が侵入し難くなる。また、該裏面剥離強度が上記範囲であれば、操作性よく、乳頭に積層体２を貼付できる。上記効果をより顕著にするためには、該裏面剥離強度は、１０Ｎ／２５ｍｍ以上２５Ｎ／２５ｍｍ以下とすることがより好ましく、１０Ｎ／２５ｍｍ以上２０Ｎ／２５ｍｍ以下とすることがさらに好ましい。
【００６３】
［厚み］
積層体２の厚みは１１〜１５０μｍ内の値であることが好ましい。この厚みが薄過ぎると、乳頭１２への貼付け作業を行い難くなり、さらに使用済みの積層体２を乳頭１２から剥がす作業が困難になるおそれもある。一方、積層体２の厚みが過度に厚いと、乳頭１２の変形、および乳頭表面の凹凸に対する追随性が低下し、剥がれ易くなる傾向がある。
【００６４】
（弾性シート３）
当て物としての上記の積層体２を構成する弾性シート３は、この上に粘着剤層４を設けて積層体２としたときに、引張弾性率、粘着力、ボールタックナンバー及び保持力の各値が上記範囲となるような弾性材料によって形成される。
【００６５】
このような弾性材料としては、これに限定されるものではないが、オレフィン系エラストマー、スチレン系エラストマー、酢酸ビニル系エラストマー、軟質塩化ビニル系エラストマー、ウレタン系エラストマー等が挙げられる。これらのエラストマーの中でも、保護フィルム５に対する粘着保持性に優れ、さらには、上記範囲の引張弾性率及び粘着力が得られるように物性を調整することが容易であることから、オレフィン系エラストマー、ウレタン系エラストマーが好適である
【００６６】
すなわち、所定範囲の引張弾性率及び粘着力を確保するためには、上記ポリマーについて、そのモノマー組成（共重合比）、結晶性、分子量、可塑剤含量、等を適宜の範囲に調整し、且つ物性に応じてシートの厚みを調整すればよい。このような物性調整や厚み調整により引張弾性率及び粘着力を調整した場合、ポリウレタンにより弾性シート３を形成したときには、厚みを過度に薄くせずに、所定の引張弾性率及び粘着力を得ることができる。例えば、積層体２の厚みを前述した範囲内として引張弾性率及び粘着力を所定の範囲内とするためには、ポリウレタンを用いて弾性シート３を形成することが最も好適である。このようなポリウレタン製の弾性シート３は、粘着剤等を使用せずに保護フィルム５を、直接、粘着固定し得るという点でも有利である。
【００６７】
また、ポリウレタン製の弾性シート３を用いることにより、以下の利点もある。乳頭へ貼付した積層体２の最外面にある弾性シート３は、それ自体に粘着性があり、弾性シート３の面同士が接着し易い。そのため、積層体２に浮きやシワが入ったとしても、浮きやシワが入った部分の弾性シート３を、弾性シート３の乳頭１２に密着している部分に押圧する等して接着させることにより、弾性シート３と乳頭１２とが強固に接着して、浮きやシワを低減できる。その結果、弾性シート３の乳頭１２からの剥がれを少なくできるものと考えられる。
【００６８】
このような弾性シート３の厚みは、粘着剤層４が積層された積層体２の厚みが前述した範囲（すなわち１１〜１５０μｍ）となるような厚みに設定されるのが良い。具体的には、粘着剤層４の厚みが薄いことを考慮して、弾性シート３の厚みは、通常、１０〜１００μｍの範囲とするのが良い。
【００６９】
また、弾性シート３は、着色されていることが好適である。この着色により、積層体２が貼付けられたことを、暗い牛舎内でも容易に視認することができる。その結果、貼付け作業や貼付け後の状態の確認が容易になる。
【００７０】
さらに、弾性シート３の色が違う複数の積層体２を準備することにより、以下のような使い方も可能となる。牛等については、通常、１頭に４つの乳頭１２が存在する。例えば、それらの乳頭１２のうちで細菌等に感染して治療が必要と思われる乳頭１２に貼付する積層体２と、正常な乳頭１２に貼付される積層体２との色を変えることにより、効率の良い治療が可能になる。また、治療が必要と思われる家畜と、健常な家畜とで、乳頭１２に貼付する積層体２の色を変えることもできる。
さらに、家畜の乳頭１２に積層体２を貼付した日によって積層体２の色を変えれば、例えば、乳牛等の家畜であれば、乾乳期に入ってから何日たったか等の管理がし易くなる。
つまり、色分けした積層体２を使用することにより、各家畜の状態を把握できるようになる。
【００７１】
（粘着剤層４）
粘着剤層４は、上述した弾性シート３の一方の面に積層され、乳頭１２に対する貼付け面となるものである。このような粘着剤層４は、第１に、弾性シート３に加え、乳頭１２に対しても接着性を示すことが必要である。粘着剤層４は、第２に、使用後には乳頭１２から速やかに剥がすことが可能な粘着力を示すことが必要である。上記第１及び第２の要件が満たされる限り、粘着剤層４は公知の粘着剤により形成することができる。
【００７２】
このような粘着剤は、絆創膏等に使用されているものであり、ゴム系、（メタ）アクリル系、シリコーン系、ウレタン系のものがある。しかしながら、特に家畜の乳頭１２に対して安全であり、且つかぶれ等が生じないという点で、シリコーン系、（メタ）アクリル系の粘着剤が好適である。
【００７３】
このような粘着剤層４は、乳頭１２への十分な接着性を確保できる程度の厚みを有する。粘着剤層４は、通常、積層体２の厚み（すなわち、弾性シート３と粘着剤層４との合計厚み）が前述した１１〜１５０μｍの範囲となることを条件として、１〜５０μｍ程度の厚みを有することが好適である。
【００７４】
以上説明した弾性シート３、粘着剤層４の材質、厚み等を調整することにより、本発明で規定した引張弾性率、粘着力、ボールタックナンバー、保持力、裏面剥離強度を満足する積層体２を製造することができる。
【００７５】
（保護フィルム５）
図１において弾性シート３における粘着剤層４と反対側の面に保護フィルム５が積層されている。この保護フィルム５は、保管時における弾性シート３の変形を防止する。また、保護フィルム５は、当て物としての積層体２を乳頭１２に貼付ける作業時において、弾性シート３同士が接着することを防止することにより、貼付け作業を容易に行えるようにするために設けられるものである。
【００７６】
現場においては、まず、当て物組品１Ａ（図１）の離型シート６を粘着剤層４から剥がす。次に、保護フィルム５が付いたままの状態で粘着剤層４の少なくとも一部を乳頭１２に貼付ける。次に、乳頭１２に貼付いている当て物組品１Ａの保護フィルム５を積層体２の弾性シート３から剥がす。次に、作業者の手での押圧等により、粘着剤層４の全体が乳頭１２に粘着され固定される。もちろん、積層体２の大きさによっては、粘着剤層４の全体を乳頭１２に貼付けた後、保護フィルム５が積層体２から剥がされる。
【００７７】
従って、保護フィルム５は腰のあるフィルムであり、さらに弾性シート３よりも引張弾性率が大きいものでなければならない。このような観点から、保護フィルム５としては、各種熱可塑性樹脂のフィルム、例えばポリエチレンテレフタレート（ＰＥＴ）等といったポリエステル製フィルム、ポリエチレン、ポリプロピレン等といったオレフィン系樹脂フィルム等が使用される。特に、透明性を有するフィルムが、弾性シート３の存在、すなわち積層体２の存在を認識できるという点で好適である。
【００７８】
透明性が優れているという点で、保護フィルム５としては、ポリプロピレンフィルム、ポリエステルフィルムが特に好適である。なお、このようなフィルムは、無延伸フィルム、一軸延伸フィルム、及び二軸延伸フィルムのいずれのフィルムであって良い。中でも、積層体２から剥離を考えると、引張弾性率の高いフィルムが好ましいため、一軸、又は二軸延伸フィルムであることが好ましい。
【００７９】
保護フィルム５は、粘着剤を用いて弾性シート３に積層することもできるし、粘着剤をもちいることなく弾性シート３に直接に貼付けることもできる。粘着剤層４が乳頭１２に接着された状態の当て物組品１Ａに関しては、粘着剤層４が乳頭１２から剥がれない状態で保護フィルム５を積層体２から剥がさなければならない。このため、粘着剤を用いて保護フィルム５を弾性シート３に積層する場合には、その粘着剤の粘着力を適切に調整することが必要である。このことに鑑み、粘着剤を用いることなく保護フィルム５を弾性シート３に直接に貼付けることにすれば、粘着剤の粘着力の調整が必要なくなるという点において、望ましい。
【００８０】
保護フィルム５を直接に弾性シート３に貼付けることを考えれば、保護フィルム５は、ＰＥＴ等といったポリエステルフィルムや、ポリプロピレン等といったオレフィン系樹脂フィルムであることが好適である。なお、保護フィルム５は、コロナ処理等といった表面処理が施されたものであっても良いし、このような表面処理が施されていないものであっても良い。このような保護フィルム５への表面処理は、保護フィルム５と弾性シート３との密着性を勘案して適宜に実施すれば良い。
【００８１】
上記の通り、保護フィルム５は粘着剤を介さずに弾性シート３と接合しているのが好ましい。また、保護フィルム５のうちの弾性シート３の外側へ張り出している張出し部５ａは、粘着剤を介さずに離型シート６と接合していることが好ましい。積層体２を乳頭１２に貼付ける際には、まず離型シート６を剥がし、次に粘着剤層４を乳頭１２へ直接に貼付ける。その後、保護フィルム５を弾性シート３から剥がすのであるが、この際、剥がそうとしている保護フィルム５に粘着剤が付着していないことにより、保護フィルム５の剥離が容易になり、作業者の手等に保護フィルム５が付くことがなく、その結果、操作性をより向上できる。
【００８２】
保護フィルム５の平面的な大きさは、図１に示すように、弾性シート３よりも若干大きいことが好ましい。弾性シート３からの保護フィルム５の剥がし処理が容易になるからである。具体的には、弾性シート３から張り出している張出し部５ａを摘むことにより、保護フィルム５を弾性シート３から容易に剥がすことができる。
【００８３】
保護フィルム５の厚みは、保護フィルム５の弾性シート３からの剥がし作業を損なわない程度の適宜の厚みとなっていれば良い。保護フィルム５の厚みは弾性シート３の厚みを勘案して決定する。実際には、操作性を考慮して、保護フィルム５の厚みは、３０μｍ以上であることが好ましく、４０μｍ以上であることがより好ましい。なお、保護フィルム５の厚みの上限は、特に制限されない。しかしながら、保護フィルム５の厚みは、操作性及び経済性を考慮すると、３００μｍ以下であることが好ましい。
【００８４】
（離型シート６）
図１の離型シート６は、製造時や保管時において、粘着剤層４同士、および粘着剤層４と保護フィルム５が接着することを防止する。離型シート６は当て物としての積層体２を乳頭１２へ貼付ける際に、その貼付け作業に先立って積層体２から剥がされる。従って、この離型シート６は、未使用時に粘着剤層４に保持されているが、容易に剥がすことができる材料によって形成されることが好ましい。この点に鑑み、離型シート６は、例えばシリコーンペーパ等といった離型紙である。
【００８５】
離型シート６の平面形状は、粘着剤層４を確実に覆うために、粘着剤層４と同サイズ或いは若干大きいものであることが好ましい。さらに、剥がし作業を容易に行うために、図１に示されているように、中央部分に設けられた切込み線６ａの働きにより、離型シート６が中央部分で分断或いは折り曲げられることが望ましい。離型シート６が中央部分で分断或いは折り曲げられることにより、以下のような貼付けの仕方が可能となる。
【００８６】
以下に離型シート６が中央で分断できる場合（切込み線６ａの位置で分断できる場合）の貼付方法を記載する。まず、切込み線６ａを挟んだ左右の離型シート６の一方を、保護フィルム５付きの積層体２から剥がす。そして、剥がした部分の粘着剤層４を乳頭１２に貼付ける。次に、左右のもう一方の離型シート６を積層体２から剥がす。そして、剥がした部分の粘着剤層４を乳頭１２に貼付ける。このような多段階での貼付けが可能となる。切込み線６ａの無い大きな離型シート６の全体を１回の作業で剥がす場合には、家畜が動いたときに、粘着剤層４同士が互いに貼付いてしまうおそれが高くなる。これに対し、粘着剤層４を多段階で貼付けることにすれば、粘着剤層４同士が貼付いてしまうおそれを低減できる。この多段階での貼付け処理は、柔らかくて一定のシート形状を維持し難い弾性シート３を使用する本実施形態の積層体２を用いる場合に、特に適している。そして、このような多段階の処理を行う場合であっても、保護フィルム５が粘着剤を有さないときには、保護フィルム５の剥離が容易になり、保護フィルム５の操作性を向上できる。なお、下記に詳述する実施例・比較例においては、この方法を採用して乳頭に積層体２を貼付した。
【００８７】
本発明においては、前記のような切込み線６ａを有する家畜の乳頭口用当て物組品１Ａであってもよいが、以下の態様とすることもできる。すなわち、離型シート６の平面形状が粘着剤層４、および弾性シート３と同じ大きさの同一形状であり、該離型シート６は切込み線６ａを有していても、有していなくてもよい乳頭口用当て物組品の態様である。この乳頭口用当て物組品の場合、保護フィルム５の平面形状は、前記の通り、粘着剤層４、および弾性シート３よりも若干大きいことが好ましい。さらに、この場合、保護フィルム５が延伸されたフィルムである場合には、十分な硬さを有するため、切込み線６ａを有していない離型シート６であっても、容易に粘着剤層４から離型シート６を分離することができる。離型シート６を分離した後の操作は、上記の方法と同様の操作を実施すればよい。
【００８８】
（好適な家畜の乳頭口用当て物組品の特性）
前記の通り、本発明の家畜の乳頭口用当て物組品１Ａ（図１）、１Ｂ（図３）は、前記積層体２と、前記積層体２における前記粘着剤層４と反対側の表面に積層された剥離性の保護フィルム５と、前記粘着剤層４の表面に貼り付けられた離型シート６と、を有することが好ましい。
【００８９】
そして、この家畜の乳頭口用当て物組品１Ａ、１Ｂにおいては、前記積層体２から前記保護フィルム５を剥離する際の剥離強度に対して、前記積層体２から前記離型シート６を剥離する際の剥離強度が０．１倍以上０．９倍以下（以下、単に「剥離強度比」とする場合もある。）であることが好ましい。乳頭は柔らかく、また家畜は動くため、貼付が困難な場合があるが、該剥離強度比が０．１倍以上０．９倍以下であることにより、操作性よく、乳頭に積層体２を貼付できる。柔らかい前記積層体２を使用した場合に、より操作性を向上するためには、該剥離強度比は、０．３倍以上０．８倍以下とすることが好ましく、０．４倍以上０．７倍以下とすることがより好ましい。
【００９０】
この場合、前記積層体２から前記保護フィルム５を剥離する際の剥離強度は、柔らかい前記積層体２を使用するため、２５ｍＮ／２５ｍｍ（２５×１０−３Ｎ／２５ｍｍ）以上２５０ｍＮ／２５ｍｍ（２５０×１０−３Ｎ／２５ｍｍ）以下であることが好ましい。該剥離強度がこの範囲を満足することにより、屋外であっても、操作性よく、乳頭に積層体２を貼付できる。柔らかい前記積層体２を使用した場合に、より操作性を向上するためには、該剥離強度は、３５ｍ／２５ｍｍ以上２００ｍＮ／２５ｍｍ以下とすることがより好ましく、５０ｍＮ／２５ｍｍ以上１５０ｍＮ／２５ｍｍ以下とすることがさらに好ましい。
【００９１】
さらには、前記積層体２から前記保護フィルム５を剥離する際の剥離強度をＰ１とし、前記積層体２から前記離型シート６を剥離する際の剥離強度をＰ２とし、前記家畜の乳頭口を含む部分に前記積層体２の粘着剤層４を貼付し、該粘着剤層４を該部分から剥離する際の剥離強度をＰ３としたとき、
Ｐ２＜Ｐ１＜Ｐ３
となることが好ましい。各剥離強度がこの範囲を満足することにより、乳頭口を含む乳頭に、操作性がよい状態で前記積層体を貼付できる。
【００９２】
（積層体の機能性）
上述した構造を有する本実施形態の当て物組品１Ａ、１Ｂは、殺菌消毒剤、保湿剤、漏乳検査剤、忌避剤等といった薬剤により、所定の追加の機能を持つことができる。この薬剤は、弾性シート３の機能や粘着剤層４の機能を損なわない限りにおいて、弾性シート３の中や粘着剤層４の中に配合しても良いし、弾性シート３の表面や粘着剤層４の表面にコートしても良い。さらに、粘着剤層４がブリーディング性を有していることから、弾性シート３と粘着剤層４との界面に、これらの薬剤を塗布することもできる。
【００９３】
上記の殺菌消毒剤としては、例えば、ヨウ素化合物、銀、胴、亜鉛、チタン、鉄等といった金属、及び金属塩、茶葉粉末、ヒノキ粉末、キトサン、塩化ベンザルコニウム、塩化ベンゼトニウム、カプリル酸モノグリセリド等といった脂肪酸エステル、トリクロサン、イソプロピルメチルフェノール、塩化セチルピリジニウム、レゾルシン、トリクロロカルバニド、ハロカルバン、クロルヘキシジン、塩酸クロルヘキシジン、グルコン酸クロルヘキシジン、アクリノール、次亜塩素酸ソーダ、過酸化水素、等を例示できる。
【００９４】
これらの中でも、人あるいは家畜に対する皮膚刺激性や、殺菌消毒効果の持続性や、コスト面等、における観点から、ヨウ素化合物及び銀が好適である。
【００９５】
ヨウ素化合物としては、例えば、ヨウ素、ポピドンヨウ素、ヨウ素酸ナトリウム、ヨウ素酸カリウム、ヨウ化ナトリウム、ヨウ化カリウム、ヨードホルム等が上げられる。
【００９６】
保湿剤としては、ワセリン、グリセリン、プロピレングリコール、１，３−ブチレングリコール、ソルビトール等といった多価アルコール類や、キトサン、ピロリドンカルボン酸塩や乳酸塩、尿素やヒアルロン酸ナトリウム等といった天然保湿成分が挙げられる。
【００９７】
漏乳検査剤としては、タンパク質や糖と反応し呈色する一般的な試薬を用いることができる。機能性付与剤層は、前記殺菌消毒剤、保湿剤、漏乳検査剤それぞれ単独の薬剤から形成されても良いし、複数の薬剤から形成されても良い。
【００９８】
また、忌避剤は、いわゆる防虫剤であり、例えばユーカリオイル、菊酸、シトロネラ等といった天然物由来成分、ピレトリン等といった天然ピレスロイド、アレスリン等といった合成ピレスロイドが挙げられる。このような忌避剤は、一般に、粘着剤層４とは反対側の弾性シート３の表面に塗布される。このような忌避剤の使用により、アブやハチ等といった牛に危害を加える昆虫から乳頭１２を保護できる。
【００９９】
（積層体の形状）
図２において、積層体２の平面形状は図５の乳頭口１４を完全に覆うために必要な最小限の大きさを有する円形状である。また、図３において、積層体２の平面形状は図５の乳頭口１４を完全に覆うために必要な最小限の大きさを有する楕円形状である。これらの円形状及び楕円形状は最もシンプルな形状であり、これらの結果、乳頭１２に貼付けられた状態の積層体２にはシワが入り難いという利点がある。
【０１００】
例えば、これらの積層体２において、円の直径ｄの長さ及び楕円の長軸ｄの長さは、５〜４０ｍｍ、特に１０〜４０ｍｍの長さとなっている。また、図３に示す楕円形の場合には、その短軸ｄ’の長さは、長軸ｄの長さの５０〜９０％程度の長さであることが好ましい。絶対値であれば、短軸ｄ’の長さは２．５ｍｍ以上であることが好ましく、さらには４ｍｍ以上であることが好ましい。
【０１０１】
（積層体の変形例）
なお、これまでに当て物組品１Ａ（図２）及び１Ｂ（図３）に関して成された特性の説明はこれ以降の当て物組品の実施形態に関しても同様に適用される。図６は本発明に係る家畜の乳頭口用当て物組品の他の実施形態を示している。ここに示す当て物組品１Ｃにおいては、円形状の積層体２、従って弾性シート３及び粘着剤層４に複数（実施形態では４個）の切込み１７が設けられている。これらの切込み１７は、それぞれ、積層体２の周縁から円の中心に向かって延びている。
【０１０２】
複数の切込み１７を設けたことにより、乳頭１２の側面に対する積層体２の貼付け面積が小さくなるものの、乳頭１２の変形に対する積層体２の追随性を高めることができる。また、複数の切込み１７を設けたことにより、弾性シート３を捲り（めくり）易くすることができ、乳頭１２への貼付け作業性や乳頭１２からの剥がし作業性を高めることができる。なお、同様の切込み１７は図３の楕円形状の積層体２に対しても設けることができる。
【０１０３】
上記のような切込み１７は積層体２が乳頭１２に貼付けられたとき、切込み１７の部分に乳頭口１４（図５参照）が露出しない程度の大きさとすべきである。例えば、切込み１７は図２の円の直径ｄ又は図３の楕円の長軸ｄの１０〜４０％程度とすることが好適である。
【０１０４】
切込み１７を設けたことにより、積層体２の乳頭１２に対する粘着力が低下しないように、切込み１７の各々の大きさ、すなわち面積、を適宜の大きさに設定する。さらに、乳頭１２に対する積層体２の粘着力にムラが生じないように、複数の切込み１７は、積層体２の横中心線Ｘ０及び／又は縦中心線Ｘ１に対して線対称であることが望ましい。また、複数の切込み１７は、積層体２の中心点Ｐ０に対して点対称に配置されることが望ましい。
【０１０５】
図２、図３に示した円形状、楕円状の積層体２を使用した場合には、乳頭に貼付して１週間程度、安定に貼付することができる。また、操作も比較的簡単である。ただし、１週間以上、貼付したい場合には、例えば、以下に説明する図７、図９、図１０〜１５に例示したような形状の積層体２を使用することが好ましい。すなわち、乳頭口覆い部１８、乳頭側面覆い部１９を有し、乳頭に貼付した際に、該乳頭側面覆い部１９同士が重なり合う構造（重なり部分Ｈ／図１５参照）を有するような積層体２の構造とすることが好ましい。以下に、具体例について説明するが、本発明の積層体２は、これら形状に限定されるものではない。
【０１０６】
（家畜の乳頭口用当て物組品、及び家畜の乳頭口用当て物の第２の実施形態）
図７及び図８は当て物組品の第２の実施形態を示している。図７は平面図であり、図８は図７のＣ−Ｃ線に従った断面図である。ここに示す当て物組品１Ｄは、積層体２、保護フィルム５及び離型シート６を有している。本実施形態の積層体２が弾性シート３と粘着剤層４との２層構造であることはこれまでの実施形態と同じである。図７では、積層体２を分かり易く示すために、保護フィルム５を仮想の鎖線によって示している。本実施形態の積層体２は、機能的に考えた場合、乳頭口覆い部１８と乳頭側面覆い部１９とを有している。
【０１０７】
乳頭口覆い部１８は図５の乳頭口１４を覆う部分である。乳頭口覆い部１８の領域の形状は図２の積層体２の円形領域の形状と同じである。また、この領域は図３の積層体２の楕円形領域の形状と同じとすることもできる。乳頭側面覆い部１９は乳頭口覆い部１８に連続していて乳頭口覆い部１８の外側へ延びている部分である。乳頭側面覆い部１９は中心部が乳頭口覆い部１８の幅と同じ幅であり、中心部から離れた先端部が横方向へ広がった幅広部Ｅとなっている。乳頭側面覆い部１９は横中心線Ｘ０及び縦中心線Ｘ１の両方に関して線対称の平面形状となっている。乳頭口覆い部１８と乳頭側面覆い部１９は構造的には弾性シート３と粘着剤層４との２層構造によって一体のものとして形成されている。
【０１０８】
本実施形態の積層体２においては、乳頭口覆い部１８が図５の乳頭口１４を覆うように乳頭１２の先端部に貼り付けられ、乳頭側面覆い部１９が図５の乳頭１２の側面部分に貼り付けられる。このように本実施形態では、積層体２が乳頭１２の側面部分にもしっかりと粘着し固定されるので、乳頭１２が変形する場合でもその変形に追従して自由に動くことができ、乳頭１２から外れることも無い。
【０１０９】
本実施形態の積層体２を図４の乳牛１０の乳頭１２に貼付ける際には、図７及び図８において、まず、粘着剤層４から離型シート６を剥がし、その粘着剤層４の乳頭口覆い部１８が図５の乳頭口１４を覆うように乳頭１２の先端部に貼付けられる。そして、乳頭口覆い部１８が乳頭１２の先端部に貼付けられた状態で、図７及び図８の保護フィルム５を剥がしながら、乳頭側面覆い部１９が乳頭１２の側面に粘着され固定される。この粘着の際、乳頭側面覆い部１９は乳頭口覆い部１８との境界線部分Ｄを中心として折り曲げられながら乳頭１２の側面に粘着される。このように積層体２が乳頭１２の側面部分にも貼付けられるので、積層体２はしっかりと乳頭１２に貼付けられる。
【０１１０】
本実施形態において、乳頭側面覆い部１９の外周縁は滑らかな曲線の連続によって形成されていて、一対の直線辺が交差して形成されるような尖った部分が存在しない。従って、乳頭１２の側面部分に粘着された乳頭側面覆い部１９の外周縁には尖った部分が存在しない。仮に乳頭側面覆い部１９の外周縁に尖った部分が存在すると、その尖った部分を基点として乳頭側面覆い部１９に剥がれが生じ易いが、本実施形態ではそのような尖った部分が存在しないので、乳頭側面貼付け部１９の剥がれが生じ難い。
【０１１１】
本実施形態においては、図７に示すように、乳頭側面覆い部１９が外側の幅広部Ｅへ向かって広がる形状となっている。従って、乳頭１２の側面に粘着によって固定される部分の積層体２の面積が大きい。幅広部Ｅの寸法を大きくすれば、乳頭１２の側面全体を乳頭側面覆い部１９によって覆うこともできる。さらに、図７において横中心線Ｘ０を境とした両側に存在する一対の乳頭側面覆い部１９を乳頭１２の側面に沿って折り曲げたとき、これらの乳頭側面覆い部１９が互いに重なった状態で乳頭１２の側面にしっかりと固定されるという構造を実現することもできる。
【０１１２】
本実施形態において、積層体２の縦方向長さＬ１は３０〜２００ｍｍの範囲にあることが好ましく、５０〜１５０ｍｍの範囲にあることがさらに好ましい。また、横方向長さＬ２は２０〜１５０ｍｍの範囲にあることが好ましく、３０〜１００ｍｍの範囲にあることがさらに好ましい。Ｌ１とＬ２は等しくなっても良い。
【０１１３】
（積層体の変形例）
図９は図７の積層体２に関する変形例を説明するための図である。図９に示す家畜の乳頭口用当て物組品１Ｅに関しては、積層体２に外接する仮想の四辺形Ｑを考える。この仮想外接四辺形Ｑの縦方向長さＬ１は３０〜２００ｍｍの範囲にあることが好ましく、５０〜１５０ｍｍの範囲にあることがさらに好ましい。また、横方向長さＬ２は２０〜１５０ｍｍの範囲にあることが好ましく、３０〜１００ｍｍの範囲にあることがさらに好ましい。Ｌ１とＬ２は等しくなっても良い。
【０１１４】
図７の実施形態では、積層体２の平面形状を次のように、すなわち、乳頭側面覆い部１９の両端部が幅広部Ｅであり、中央の乳頭口覆い部１８の幅が狭く、中央の乳頭口覆い部１８から両端部の幅広部Ｅに向かって積層体２の幅が広がっており、横縦の中心線Ｘ０及びＸ１の両方に関して線対称であり、外周縁が滑らかな曲線でつなげられた形状とした。以下、この平面形状を「両端幅広湾曲対称形状」と言うことがある。
【０１１５】
積層体２の平面形状は、上記の「両端幅広湾曲対称形状」に外接する仮想外接四辺形Ｑに内接する任意の平面形状とすることができる。場合によっては、仮想外接四辺形Ｑのそれ自体を積層体２の平面形状とすることができる。但し、この場合においても、仮想外接四辺形Ｑの４つの角部は尖った形状ではなく、円弧形状等といった湾曲形状に設定することが望ましい。
【０１１６】
家畜の乳頭口用当て物としての積層体２の平面形状を仮想外接四辺形Ｑに内接する形状にするということは、この積層体２は乳頭１２の側面に巻き付けられて粘着されて固定されるものではなく、図５の乳頭口１４に乳頭口覆い部１８を貼付けた状態で乳頭側面覆い部１９を折り曲げて乳頭１２の側面に粘着するものであることを意味している。巻き付けて固定するタイプのものは、いわゆる長尺形状となるため、上記のような大きさの仮想外接四辺形Ｑを形成することはできない。
【０１１７】
本実施形態のように仮想外接四辺形Ｑに内接する任意形状の積層体２は、乳頭１２の側面に巻き付けられて固定されるものでははいので、積層体２のうちの乳頭口１４に貼付けられている部分にシワ等といった密着不良部分が発生し難く、乳頭口１４と積層体２の粘着剤層４との間に空隙が形成されることを有効に抑制できる。その結果、乳頭口１４を積層体２によってしっかりと保護できる。
【０１１８】
（家畜の乳頭口用当て物の第３の実施形態）
図１０は乳頭口用当て物の第３の実施形態の平面構造を示している。本実施形態において当て物としての積層体２は、構造的に見て弾性シート３と粘着剤層４との２層構造を有している。Ｆ−Ｆ線に従った積層体２の断面構造は図１に示す積層体２と同じである。本実施形態の積層体２は、機能的に見ると、中央部に位置する乳頭口覆い部１８と、その乳頭口覆い部１８の周囲に設けられた３つの乳頭側面覆い部１９とから成っている。
【０１１９】
乳頭口覆い部１８の領域の形状は、図２の積層体２の平面形状と同じ円形状である。３つの乳頭側面覆い部１９は、それぞれ、乳頭口覆い部１８の中心点Ｐ０を頂点とする三角形状に形成されている。但し、個々の乳頭側面覆い部１９の外周縁１９ａは緩やかな湾曲辺となっており、さらに個々の乳頭側面覆い部１９の外周縁の角部１９ｂ、１９ｂには円弧形状の丸み、すなわちＲ（アール）形状が付けられている。乳頭側面覆い部１９は、乳頭口覆い部１８と乳頭側面覆い部１９との境界部分Ｄの所で乳頭１２（図５参照）の側面に沿うように折り曲げられる。
【０１２０】
（家畜の乳頭口用当て物の第４の実施形態）
図１１は乳頭口用当て物の第４の実施形態の平面構造を示している。本実施形態においても当て物としての積層体２は、構造的に見て弾性シート３と粘着剤層４との２層構造を有している。Ｆ−Ｆ線に従った積層体２の断面構造は図１に示す積層体２と同じである。積層体２は、機能的に見ると、中央部に位置する乳頭口覆い部１８と、その乳頭口覆い部１８の周囲に設けられた４つの乳頭側面覆い部１９とから成っている。４つの乳頭側面覆い部１９は、それぞれ、乳頭口覆い部１８の中心点Ｐ０を頂点とする三角形状に形成されている。但し、個々の乳頭側面覆い部１９の外周縁１９ａは緩やかな湾曲辺となっており、さらに個々の乳頭側面覆い部１９の外周縁の角部１９ｂ、１９ｂには円弧形状の丸み、すなわちＲ（アール）形状が付けられている。乳頭側面覆い部１９は、乳頭口覆い部１８と乳頭側面覆い部１９との境界部分Ｄの所で乳頭１２（図５参照）の側面に沿って折り曲げられる。
【０１２１】
（家畜の乳頭口用当て物の第５の実施形態）
図１２は乳頭口用当て物の第５の実施形態の平面構造を示している。本実施形態においても当て物としての積層体２は、構造的に見て弾性シート３と粘着剤層４との２層構造を有している。Ｆ−Ｆ線に従った積層体２の断面構造は図１に示す積層体２と同じである。積層体２は、機能的に見ると、中央部に位置する乳頭口覆い部１８と、その乳頭口覆い部１８の周囲に設けられた４つの乳頭側面覆い部１９とから成っている。
【０１２２】
本実施形態においては、乳頭口覆い部１８の平面形状が楕円形状である。そして、乳頭側面覆い部１９のうちの図の上下部が大きな側面覆い部１９ａとなっており、左右部が小さな側面覆い部１９ｂとなっている。
【０１２３】
（家畜の乳頭口用当て物の第６の実施形態）
図１３は乳頭口用当て物の第６の実施形態の平面構造を示している。本実施形態においても当て物としての積層体２は、構造的に見て弾性シート３と粘着剤層４との２層構造を有している。Ｃ−Ｃ線に従った積層体２の断面構造は図８に示す積層体２と同じである。本実施形態の積層体２は、機能的に見ると、中央部に位置する乳頭口覆い部１８と、その乳頭口覆い部１８の上下両側に設けられた２つの乳頭側面覆い部１９とから成っている。
【０１２４】
本実施形態の乳頭側面覆い部１９は横中心線Ｘ０に関して非対称の平面形状となっている。上側の乳頭側面覆い部１９ａはほぼ長方形状に形成されていて、その横幅Ｗ０は円形状の領域である乳頭口覆い部１８の直径ｄと同じ幅となっている。下側の乳頭側面覆い部１９ｂは横幅Ｗ１が直径ｄよりも十分に大きくなっている。下側の乳頭側面覆い部１９ｂは乳頭口覆い部１８につながっている部分から先端部にかけて緩やかに湾曲しながら広がっている。また、下側の乳頭側面覆い部１９ｂの下端の左右の両側部分１９ｃ、１９ｃも尖ることのない湾曲辺となっている。以上により、本実施形態の積層体２の平面形状は概ね逆Ｔ字形状となっている。
【０１２５】
（家畜の乳頭口用当て物の第７の実施形態）
図１４は乳頭口用当て物の第７の実施形態の平面構造を示している。本実施形態においても当て物としての積層体２は、構造的に見て弾性シート３と粘着剤層４との２層構造を有している。Ｃ−Ｃ線に従った積層体２の断面構造は図８に示す積層体２と同じである。本実施形態の積層体２は、機能的に見ると、中央部に位置する乳頭口覆い部１８と、その乳頭口覆い部１８の上下両側に設けられた２つの乳頭側面覆い部１９とから成っている。
【０１２６】
乳頭口覆い部１８の領域の形状は、図２の積層体２の平面形状と同じ円形状である。２つの乳頭側面覆い部１９の平面形状は、それぞれ、正方形状又は長方形状となっている。但し、正方形状又は長方形状の４つの角部にはＲ（アール／湾曲形状）が設けられていて、尖っていない。積層体２の横中心線Ｘ０上であって乳頭口覆い部１８の左右の部分に切欠き２０、２０が設けられている。切欠き２０、２０は積層体２の周縁部から中心点Ｐ０に向かって延びている。２つの乳頭側面覆い部１９は横中心線Ｘ０を挟んで互いに対向している。
【０１２７】
（図１０、図１１、図１２、図１３、図１４に示す各実施形態の共通事項）
これらの実施形態において、積層体２は仮想外接四辺形Ｑに内接している。仮想外接四辺形Ｑの縦方向長さＬ１は３０〜２００ｍｍの範囲にあり、且つ横方向長さは２０〜１００ｍｍの範囲にあることが好適である。
【０１２８】
いずれの積層体２も、少なくとも線対称形状を有している。直線同士が交差することによって形成される尖った部分はいずれの積層体２にも存在していない。仮想外接四辺形Ｑは、積層体２の乳頭１２（図５参照）への貼付け作業が行い易い大きさに設定される。乳頭側面覆い部１９の数や大きさは、積層体２の乳頭１２からの剥がし作業が行い易くなるように設定される。
【０１２９】
仮想外接四辺形Ｑの面積を１００％としたとき、積層体２の面積は４０〜９８％となることが好ましい。積層体２の面積が１００％に近付く程、すなわち積層体２の形状が仮想外接四辺形Ｑの形状に近付く程、積層体２に対する作業性が向上し、さらに、積層体２を乳頭１２へ貼付した後の積層体２の浮きやシワの発生を抑制できる。
【０１３０】
さらに作業性を向上させ、さらに貼付け後の積層体２の状態をより良く保つためには、矩形状の仮想外接四辺形Ｑの面積を１００％としたとき、積層体２の面積は５５〜９５％となることがより好ましく、５５〜８０％となることが最も好ましい。
【０１３１】
乳頭側面覆い部１９を備えた積層体２を用いることにより、すなわち、乳頭１２の先端部に限られず乳頭１２の側面部分にも積層体２を粘着によって固定させることにより、家畜の個体差によらず、１０日以上の間、好ましくは２週間程度の間、乳頭１２に密着して剥離し難く、確実に乳頭口１４を保護できる。その結果、例えば、乳牛においては、乾乳期の感染をより確実に防ぐことができる。
【０１３２】
図７、図９、図１０、図１１、図１２、図１３、図１４の各図に示した各実施形態のように乳頭側面覆い部１９を備えた積層体２は、例えば図１５に示すように、積層体２の乳頭口覆い部１８が乳頭口１４を覆うように乳頭口１４に粘着によって固定される。そして、積層体２の乳頭側面覆い部１９は乳頭口覆い部１８との境界線部分のところで折り曲げられた状態で、乳頭１２の側面に粘着によって固定される。
【０１３３】
また、図７や図１３に示すように乳頭側面覆い部１９が左右方向へ大きく広がった形状を有する積層体２に関しては、図１５に示すように、大きく広がった部分の乳頭側面覆い部１９が乳頭１２の側面部分において符号Ｈで示すように互いに重なり合った状態となる。これにより、積層体２は乳頭１２の側面にしっかりと粘着されて固定される。この重なり部分Ｈの最大幅Ｗ１は、乳頭１２の大きさ、形状等に応じて最適値が異なるため、一概には限定できない。
【０１３４】
但し、操作性が良好で、より確実に密着性を高め、シワ（非密着部）を少なくするためには、重なり部分Ｈの最大幅Ｗ１は、２ｍｍ以上４５ｍｍ以下となることが好ましく、３ｍｍ以上３０ｍｍ以下となることがより好ましく、３ｍｍ以上１５ｍｍ以下となることがさらに好ましい。この重なり部分Ｈは、乳頭１２に積層体２を貼付する際に、積層体２を少し引伸ばして乳頭１２へ貼付けることによって形成することもできる。
【０１３５】
なお、当然のことであるが、図６、図７、図９、図１０、図１１、図１２、図１３、図１４、図１５で例示した形状の乳頭口用当て物を含む家畜の乳頭口用当て物組品において、離型シートを設ける場合には、該離型シートの中央に切込み線を設ける態様（例えば、図８の切込み線６ａ）であってもよく、切込み線を設けない態様であってもよい。なお、図６の形態の場合には、図１Ａ、１Ｂの形状のものと同様の操作で乳頭に貼付することができる。
【０１３６】
図７、図９、図１０、図１１、図１２、図１３、図１４、図１５で例示した形状の乳頭口用当て物を含む家畜の乳頭口用当て物組品において、離型シートが切込み線を有する場合には、以下の方法で乳頭に貼付することが好ましい。まず、離型シート側を乳頭側に向けて、中心点が乳頭口とほぼ同じ位置となるように、乳頭の後方に、縦方向長さが上下方向となるように乳頭口用当て物組品を配置する。次いで、切込み線を挟んだ上方の離型シートを、保護フィルム付きの積層体から剥がす。そして、剥がした部分の粘着剤層を乳頭に貼付ける（乳頭側面覆い部を乳頭に貼り付ける。）。さらに、下方の離型シートを、保護フィルム付きの積層体から剥がす。そして、積層体を保護フィルムと一緒に乳頭に沿って折り曲げ、剥がした部分の粘着剤層を乳頭に貼付ける（乳頭側面覆い部を乳頭に貼り付ける。）。この時、下方に位置していた積層体の粘着剤層が、上方に位置していた保護フィルムと接着しない様に、予め上方の保護フィルムを積層体から剥がしておくことが好ましい。そして、保護フィルムを完全に取り除き、最後に、乳頭を手のひらで包み込み、積層体の浮いている部分等をなくすことが好ましい。
【０１３７】
図７、図９、図１０、図１１、図１２、図１３、図１４、図１５で例示した形状の乳頭口用当て物を含む家畜の乳頭口用当て物組品において、離型シートが切込み線を設けない場合、第１の実施形態；（離型シート６）で説明した通り、保護フィルム５の平面形状は、前記の通り、粘着剤層４、および弾性シート３よりも若干大きいことが好ましい。この場合、以下の方法で乳頭に貼付することが好ましい。まず、離型シート側を乳頭側に向けて、中心点が乳頭口とほぼ同じ位置となるように、乳頭の後方に、縦方向長さが上下方向となるように乳頭口用当て物組品を配置する。次いで、中央部よりも上方にある離型シート部分を保護フィルム付きの積層体から剥がす。そして、剥がした部分の粘着剤層を乳頭に貼付ける（乳頭側面覆い部を乳頭に貼り付ける。）。これ以降の操作は、前記の切込み線を有する乳頭口用当て物組品を使用する場合と同じである。
【０１３８】
なお、前記の貼付方法は、乳頭へ積層体を貼付する際の一例であり、本発明においては、前記の貼付方法に限定されるものではない。
【０１３９】
（他の実施形態）
以上、好ましい実施形態を挙げて本発明を説明したが、本発明はその実施形態に限定されるものでなく、請求の範囲に記載した発明の範囲内で種々に改変できる。
例えば、上記の実施形態では家畜として乳牛を例示したが、必要に応じて、他の生物を家畜として本発明の乳頭口用当て物組品及び乳頭口用当て物を適用できる。
【実施例】
【０１４０】
以下、実施例、比較例を使用して本発明を詳細に説明するが、本発明は、以下の実施例に限定されるものではない。
（家畜の乳頭口用当て物組品、および積層体２の準備）
実施例、及び比較例において、以下の表１、表２に示す積層体Ａ〜Ｈを準備した。該積層体Ａ〜Ｈは、表１に示す材質の弾性シート、粘着剤層を使用し、その材質の組成、厚み等を変化させて、表１、表２に示す特性の積層体とした。また、保護フィルムには、厚さ６０μｍの二軸延伸ポリプロピレンを使用し、剥離シートには、剥離剤をコートした厚み７５μｍの台紙を準備して、家畜の乳頭口用当て物組品Ａ〜Ｈを準備した。
なお、粘着力、４０℃保持力等の測定において、弾性シートの伸びが影響するものについては、ポリエチレンテレフタレートフィルムを裏面に裏打ちして、弾性シートの伸びの影響をなくして測定した。
【０１４１】
【表１】
2019024446.tif 000003
【０１４２】
【表２】
2019024446.tif 000004
【０１４３】
（実施例１−１）
＜疑似乳頭での貼付試験＞
前記乳頭口用当て物組品Ａにおいて、図２に示すような円直径ｄ＝１５ｍｍの形状となるような積層体Ａ（乳頭口用当て物）を使用した。図１６に示すような哺乳バケツ用乳首（天然ゴム製）を疑似乳頭として用い、前記形状の積層体Ａを該疑似乳頭先端部に貼付し（図５のように貼付し）、貼付直後、および貼付後（７日後）の乳頭口上でのシワの状態を目視評価した。結果を表３に示す。なお、図１６における数値の単位はｍｍである。
【０１４４】
【表３】
2019024446.tif 000005
【０１４５】
（実施例１−２）
＜乳牛による粘着維持評価＞
実施例１−１で準備した前記乳頭口用当て物組品Ａを使用して、ホルスタイン種の乳牛３頭の乳頭に該積層体Ａ（乳頭口用当て物）を図５に示すように貼付し、粘着維持性を評価した。結果を表４に示した。
尚、今回試験を実施したホルスタイン種の牛３頭は、全て乾乳牛である。また、乳牛の個体差を考慮し、保護パッチ（すなわち当て物）を貼りつける乳牛を７日後に入れ替えて粘着維持性を評価した。なお、保護パッチを貼りつける前に、乳頭先端部に付着した汚れや皮脂をウェットティッシュで拭き取りを行った。
保護パッチの付着状態を、下記の基準に従って４段階で評価した。
３：乳頭からの保護パッチの剥離、浮きが見られない。
２：保護パッチの端部が浮いた状態にある。
１：保護パッチの端部が完全に剥離している。
０：保護パッチ全体が完全に剥離している。
なお、前記粘着維持評価においては、下記貼付操作性評価において、不良となったものが生じた際には、再度、積層体を貼付し直し、綺麗な状態で乳頭に貼付されたものの評価を行った。
【０１４６】
＜積層体の貼付操作性評価＞
乳頭への貼付は以下のように実施した。先ず、前記乳頭口用当て物組品Ａから切込み線ａの部分から離型シートを分離し、粘着剤層４を乳頭に密着させる。次いで、該積層体Ａから保護フィルムを分離することにより、該積層体Ａを乳頭に貼付する。この時、操作性を以下の方法で評価した。
【０１４７】
＜操作性評価−１；最初の貼付時の評価＞
３：粘着剤層４を乳頭に密着させた際、全試験において、問題なく乳頭に密着した。
２：粘着剤層４を乳頭に密着させた際、１２回中、１回以上４回以下の試験において
、乳頭に十分に密着しないものがあった。
１：粘着剤層４を乳頭に密着させた際、１２回中、５回以上の試験において、乳頭に
十分に密着しないものがあった。
【０１４８】
＜操作性評価−２；保護フィルムを分離した際の評価＞
３：積層体を乳頭に貼付した後、保護フィルムを分離する際、全試験において、保護
フィルムを問題なく分離できた。
２：積層体を乳頭に貼付した後、保護フィルムを分離する際、１２回中、１回以上４
回以下の試験において、積層体同士が密着して上手く貼付できなかった（やり
直しが必要であった）。  
１：積層体を乳頭に貼付した後、保護フィルムを分離する際、１２回中、５回以上の
試験において、積層体同士が密着して上手く貼付できなかった（やり直しが必
要であった）。
【０１４９】
＜積層体の除去操作性評価＞
前記の粘着維持評価とは別に、一旦、乳頭に貼付した積層体を除去する際の操作性（除去操作評価）を評価した。この除去操作性評価は、不測の事態が生じて急遽、乳頭に貼付した積層体を除去する場合を想定したものであり、乳頭に積層体を貼付した３日後に、該積層体を乳頭から除去する際の操作性を以下の方法で評価した。なお、前記除去操作評価においては、前記貼付操作性評価において、不良となったものが生じた際には、再度、積層体を貼付し直し、綺麗な状態で乳頭に貼付されたものの評価を行った。
３：貼付３日後、乳頭から積層体を除去する際、全試験において、積層体が破れる
ことなく除去することができた。
２：貼付３日後、乳頭から積層体を除去する際、１２回中、１回以上４回以下の試
験において、積層体が破れた。  
１：貼付３日後、乳頭から積層体を除去する際、１２回中、５回以上の試験におい
て、積層体が破れた。
【０１５０】
【表４】
2019024446.tif 000006
【０１５１】
（実施例２−１）
前記乳頭口用当て物組品Ａにおいて、図１４に示す形状の積層体Ａ（乳頭口用当て物）を作製した。ここで、円形の乳頭口覆い部１８の直径ｄは２５ｍｍ、仮想縦方向長さＬ１の長さは１００ｍｍ、横方向長さＬ２の長さは６０ｍｍとした。なお、仮想外接四辺形Ｑの面積を１００％としたとき、積層体Ａの面積は９２．５％であった。
この積層体Ａ（乳頭口用当て物）を図１６の疑似乳頭に貼付け、実施例１−１と同様に疑似乳頭貼付試験を行った。結果を表５に示した。なお、図１６の疑似乳頭に積層体Ａを図１５のように貼り付けたとき、そのオーバーラップ部２５の最大幅Ｗ１は約９ｍｍであった。
【０１５２】
（実施例３−１〜６−１、および比較例１−１〜３−１）
実施例２−１において、表５に示す積層体を使用した以外は、実施例２−１と同様の操作を行い、同様の評価を行った。結果を表５にまとめた。
【０１５３】
【表５】
2019024446.tif 000007
【０１５４】
（実施例２−２）
実施例２−１で使用した前記乳頭口用当て物組品Ａ（積層体Ａ）を用いて、実施例１−２と同様に粘着維持性を評価した。乳頭には図１５のように該積層体Ａを貼付し、評価期間は１４日まで行った。評価方法は、実施例１−２と同様の評価を行った。結果を表６にまとめた。
【０１５５】
（実施例３−２〜６−２、および比較例１−２〜３−２）
実施例２−２において、表６、表７、表８に示す積層体を使用した以外は、実施例２−１と同様の操作を行い、同様の評価を行った。結果を表６、表７、表８にまとめた。
【０１５６】
【表６】
2019024446.tif 000008
【０１５７】
【表７】
2019024446.tif 000009
【０１５８】
【表８】
2019024446.tif 000010
【符号の説明】
【０１５９】
１Ａ、１Ｂ、１Ｃ、１Ｄ、１Ｅ．  家畜の乳頭口用当て物組品、  ２．積層体（家畜の乳頭口用当て物）、  ３．弾性シート、  ４．粘着剤層、  ５．保護フィルム、  ５ａ．張出し部、  ６．離型シート、  ６ａ．切込み線、  １０．乳牛（家畜）、  １１．乳房、  １２．乳頭、  １３．乳管、  １４、乳頭口、  １７．切込み、１８．乳頭口覆い部、１９．乳頭側面覆い部、  １９ａ．大きな乳頭側面覆い部、  １９ｂ．小さな乳頭側面覆い部、  １９ｃ．下端の両側部分、  ２０．切欠き、  ｄ．直径、長軸、  ｄ’．短軸、Ｄ．境界線部分、  Ｅ．幅広部、  Ｈ．重なり部分、  Ｌ．乳頭下部、  Ｌ１．縦方向長さ、  Ｌ２．横方向長さ、  Ｐ０．中心点、  Ｑ．仮想外接四辺形、  Ｕ．乳頭上部、Ｗ０．幅、  Ｗ１．最大幅、  Ｘ０．横中心線、  Ｘ１．縦中心線
【図１】
2019024446.tif 000011
【図２】
2019024446.tif 000012
【図３】
2019024446.tif 000013
【図４】
2019024446.tif 000014
【図５】
2019024446.tif 000015
【図６】
2019024446.tif 000016
【図７】
2019024446.tif 000017
【図８】
2019024446.tif 000018
【図９】
2019024446.tif 000019
【図１０】
2019024446.tif 000020
【図１１】
2019024446.tif 000021
【図１２】
2019024446.tif 000022
【図１３】
2019024446.tif 000023
【図１４】
2019024446.tif 000024
【図１５】
2019024446.tif 000025
【図１６】
2019024446.tif 000026